(57)【特許請求の範囲】
【請求項１】
単板ガラスまたは複層ガラスのガラス体の外周縁と框の間に装着されるグレチャンであって、
底板部とその両側にそれぞれ側板部とを有する本体部と、
その本体部の両側の側板部それぞれに設けられた一対のシール部とを備え、
前記一対のシール部は、それぞれ、
前記本体部両側の側板部に立設された立設部と、
前記立設部に対し鈍角で当該本体部の内側に向かって所定長さだけ延びる第１シール片と、
前記第１シール片よりも前記本体部側に設けられ、前記立設部に対し鋭角で当該本体部の内側に向かって所定長さだけ延びる第２シール片とを有し、
前記第２シール片の基部よりも前記本体部側に設けられ、当該グレチャンを前記ガラス体の外周縁に装着して、前記第２シール片が前記ガラス体に押圧されて弾性変形した際、前記第２シール片の裏側から当該第２シール片を前記ガラス体の方へ押し返す第２シール片押返し用凸部を設け、
前記本体部の両側の側板部の内側面には、それぞれ、前記本体部の内側に向かって突出したガラス体支持部を設け、
そのガラス体支持部は、同じ側のシール部の前記第２シール片押返し用凸部よりも内側に突出し、かつ、その先端部は当該第２シール片押返し用凸部の突出量と、同じ側の前記第２シール片の厚さとを加算した長さ以下の突出量とすることを特徴とするグレチャン。
【請求項２】
単板ガラスまたは複層ガラスのガラス体の外周縁と框の間に装着されるグレチャンであって、
底板部とその両側にそれぞれ側板部とを有する本体部と、
その本体部の両側の側板部それぞれに設けられた一対のシール部とを備え、
前記一対のシール部は、それぞれ、
前記本体部両側の側板部に立設された立設部と、
前記立設部に対し鈍角で当該本体部の内側に向かって所定長さだけ延びる第１シール片と、
前記第１シール片よりも前記本体部側に設けられ、前記立設部に対し鋭角で当該本体部の内側に向かって所定長さだけ延びる第２シール片とを有し、
前記第２シール片の基部よりも前記本体部側に設けられ、当該グレチャンを前記ガラス体の外周縁に装着して、前記第２シール片が前記ガラス体に押圧されて弾性変形した際、前記第２シール片の裏側から当該第２シール片を前記ガラス体の方へ押し返す第２シール片押返し用凸部を設け、
前記一対のシール部の外側面であって、前記框の端部に形成された嵌合凸部が密着する平面状の箇所には、それぞれ、前記ガラス体の外周縁に沿って延びる溝部が形成されていることを特徴とするグレチャン。
【発明の詳細な説明】
【技術分野】
【０００１】
本発明は、単板（一枚）ガラスまたは複層ガラスのガラス体の外周縁と框の間に装着されるグレチャン（グレイジング・チャンネルともいう。）に関する。
【背景技術】
【０００２】
単板ガラスや複層ガラスのガラス体の外周縁と框の間に装着されるグレチャンとして、例えば、断面形状がほぼコ字状の本体部と、その本体部の端部からそれぞれ当該各シール部の立設部に対し鈍角で当該本体部の内側に向かって所定長さだけ延びる第１シール片（フランジ部）と、その本体部の端部からそれぞれ当該各シール部の立設部に対し鋭角で当該本体部の内側に向かって所定長さだけ延びる第２シール片（舌片状部）とを備えたグレチャンが提案されている（例えば、特許文献１参照。）。
【先行技術文献】
【特許文献】
【０００３】
【特許文献１】特開平０９−３２８９６９号公報
【発明の概要】
【発明が解決しようとする課題】
【０００４】
ところで、近年、大型台風やゲリラ豪雨などにより降雨量が異常に増大する場合があり、より高水密性能を有するサッシが要望されている。
【０００５】
しかしながら、上述の特許文献１に記載のグレチャンでは、ガラス体の外周縁表面に第１シール片（フランジ部）と第２シール片（舌片状部）とを密着させてグレチャンとガラス体の隙間から框内へ雨水等が浸入しないように構成しているものの、まだ改善の余地が残されている。
【０００６】
特に、ガラス体が脈動している場合には、ガラス体がグレチャンの室内側シール片に押し付けられた時に発生するグレチャンの室外側シール片とガラス体の隙間からグレチャン内部に雨水等が侵入し易く、グレチャンの底板部に設けた水抜き孔を通じて框内へ浸入する雨水等が増える。
【０００７】
そこで、本発明はこのような課題に着目してなされたもので、框内への雨水等の水の浸入をさらに低減することができるグレチャンを提供することを目的とする。
【課題を解決するための手段】
【０００８】
前記課題を解決するため、本発明に係るグレチャンの第１の特徴は、単板ガラスまたは複層ガラスのガラス体の外周縁と框の間に装着されるグレチャンであって、底板部とその両側にそれぞれ側板部とを有する本体部と、その本体部の両側の側板部それぞれに設けられた一対のシール部とを備え、前記一対のシール部は、それぞれ、前記本体部両側の側板部に立設された立設部と、前記立設部に対し鈍角で当該本体部の内側に向かって所定長さだけ延びる第１シール片と、前記第１シール片よりも前記本体部側に設けられ、前記立設部に対し鋭角で当該本体部の内側に向かって所定長さだけ延びる第２シール片とを有し、前記第２シール片の基部よりも前記本体部側に設けられ、当該グレチャンを前記ガラス体の外周縁に装着して、前記第２シール片が前記ガラス体に押圧されて弾性変形した際、前記第２シール片の裏側から当該第２シール片を前記ガラス体の方へ押し返す第２シール片押返し用凸部を設けたことである。
また、本発明に係るグレチャンの第２の特徴は、前記各シール部の外側面であって、前記框の端部に形成された嵌合凸部が密着する箇所には、それぞれ、前記ガラス体の外周縁に沿って延びる溝部を形成したことである。
また、本発明に係るグレチャンの第３の特徴は、前記本体部の両側の側板部の内側面には、それぞれ、前記本体部の内側に向かって突出したガラス体支持部を設け、そのガラス体支持部は、同じ側のシール部の前記第２シール片押返し用凸部よりも内側に突出し、かつ、その先端部は当該第２シール片押返し用凸部の突出量と、同じ側の前記第２シール片の厚さとを加算した長さ以下の突出量とすることである。
【発明の効果】
【０００９】
本発明のグレチャンの第１の特徴によれば、グレチャンをガラス体の外周縁に装着して第２シール片がガラス体に押圧されて弾性変形した際、第２シール片の裏側から当該第２シール片をガラス体の方へ押し返す第２シール片押返し用凸部を設けたため、第２シール片押返し用凸部を設けない場合よりも第２シール片をガラス体に強く押し付けることができ、ガラス体の脈動時に発生するグレチャンの室外側シール片とガラス体の隙間を抑えて、框内への雨水等の水の浸入を低減することができる。
また、本発明のグレチャンの第２の特徴によれば、シール部の外側面であって框の端部に形成された嵌合凸部が密着する箇所には、それぞれ、ガラス体の外周縁に沿って延びる溝部を形成したため、シール部の外側面と框の嵌合凸部との間の密着部分や隙間を毛細管現象で雨水等が侵入してきた場合でも、この溝部によって雨水等の侵入を断ち切ることができる。従って、この溝部の大きさは、グレチャンのシール部の外側面と框の嵌合凸部との間の毛細管現象を断ち切る大きさとする必要がある。
また、本発明のグレチャンの第３の特徴によれば、本体部の両側の側板部の内側面には、それぞれ、本体部の内側に向かって突出したガラス体支持部を設け、そのガラス体支持部は、同じ側の側板部に設けた第２シール片押返し用凸部よりも内側に突出し、かつ、その先端部は当該第２シール片押返し用凸部の突出量と、同じ側の側板部に設けた第２シール片の厚さとを加算した長さ以下の突出量としたため、第２シール片押返し用凸部によって裏側からガラス体の方へ押し付けた第２シール片によるシール性能は確保しつつも対向するガラス体支持部によってガラス体の外周縁を確実に保持することができる。その結果、ガラス体支持部によってさらに框内への雨水等の水の浸入をさらに低減することができる。
【図面の簡単な説明】
【００１０】
【図１】本発明に係る実施形態１のグレチャンが嵌め込まれた障子の外観を示す正面図である。
【図２】図１におけるＡ−Ａ線部分の端面図である。
【図３】図１におけるＢ−Ｂ線部分の端面図である。
【図４】図１におけるＡ−Ａ線部分の端面を含む斜視図である
【図５】（ａ），（ｂ）それぞれ実施形態１のグレチャンを示す斜視図、端面図である。
【図６】（ａ）〜（ｃ）それぞれ複層ガラスに本発明に係る実施形態１のグレチャンを装着する際のグレチャンの動きを説明する図である。
【図７】（ａ）〜（ｃ）それぞれ複層ガラスに本発明に係る実施形態１のグレチャンを装着したものを、さらに下框に嵌め込む際のグレチャンの動きを説明する図である。
【図８】（ａ），（ｂ）それぞれ実施形態２のグレチャンを示す斜視図、端面図である。
【図９】実施形態２のグレチャンに複層ガラスを挿入した状態を示す端面図である。
【図１０】（ａ），（ｂ）それぞれ実施形態３のグレチャンを示す斜視図、端面図である。
【図１１】（ａ），（ｂ）それぞれ実施形態３のグレチャンの他の構成例を示す端面図、それに複層ガラスを挿入した状態を示す端面図である。
【図１２】（ａ），（ｂ）それぞれ実施形態４のグレチャンの端面図、複層ガラスが挿入された際の第２シール片押返し用凸部の動きや機能等を示す図ある。
【図１３】（ａ），（ｂ）それぞれ実施形態４のグレチャンの他の構成例の端面図である。
【図１４】（ａ），（ｂ）それぞれ実施形態５のグレチャンの端面図、複層ガラスが挿入された際の第２シール片および第２シール片押返し用凸部の動きや機能等を示す図ある。
【図１５】（ａ），（ｂ）それぞれ実施形態５のグレチャンの他の構成例の端面図である。
【発明を実施するための形態】
【００１１】
以下、本発明に係るグレチャンの実施形態１〜５について、図面を参照して説明する。尚、以下に説明する実施形態１〜５はあくまで本発明の一具体例であって、本発明が下記に説明する実施形態１〜５に限定されるものではなく、本発明の技術的思想の範囲内で適宜変更可能である。
【００１２】
実施形態１．
実施形態１のグレチャン１Ａは、図１〜図４に示すように、ガラス体である複層ガラス２の外周縁と、障子を構成する框である下框３、上框４、縦框５，６の間に装着されるもので、図２〜図５（ａ），（ｂ）に示すように、本体部１ａと、シール部１ｂ，１ｂとから構成される。
【００１３】
複層ガラス２は、図２〜図４に示すように、２枚のガラス２ａ，２ｂをスペーサー２ｃ等によって一定間隔を空けて配設したものである。また、図２において、７は戸車、８はセッティングブロックである。また、図３において、９は振れ止めである。
【００１４】
グレチャン１Ａの本体部１ａは、硬度が９０°前後でシール部１ｂ，１ｂよりも硬質の塩化ビニル樹脂等から構成されており、底板部１ａ１と、底板部１ａ１の両側それぞれの側板部１ａ２，１ａ２とから構成されており、断面形状がほぼコ字状に形成されている。
【００１５】
両側の側板部１ａ２，１ａ２の上部には、図５（ａ），（ｂ）に示すように、外側に突出して框３〜５の端部に形成された後述する嵌合凸部が嵌る被嵌合凹部を形成するための凹部形成用凸部１ａ２１，１ａ２１が設けられている。
【００１６】
シール部１ｂ，１ｂは、それぞれ、硬度がおよそ６７°程度の本体部１ａよりも軟質な塩化ビニル樹脂等の軟質部材から形成され、本体部１ａの各側板部１ａ２，１ａ２の端部に立設されるもので、図５（ｂ）等に示すように、側板部１ａ２，１ａ２の端部から立設する立設部１ｂ１，１ｂ１と、その立設部１ｂ１，１ｂ１の先端部から当該立設部１ｂ１，１ｂ１に対し鈍角で当該本体部１ａの内側に向かって所定長さだけ延びる第１シール片１ｂ２，１ｂ２と、立設部１ｂ１，１ｂ１の先端部からそれぞれ当該立設部１ｂ１，１ｂ１に対し鋭角で当該本体部１ａの内側に向かって所定長さだけ延びる第２シール片１ｂ３，１ｂ３とを備える。
【００１７】
各第２シール片１ｂ３，１ｂ３は、図５（ｂ）に示すように、各第１シール片１ｂ２，１ｂ２よりも長く、グレチャン１Ａの中心側に向かって延びている。
【００１８】
また、シール部１ｂ，１ｂの先端部の外側、すなわち第１シール片１ｂ２，１ｂ２と第２シール片１ｂ３，１ｂ３の反対側には、本体部１ａの凹部形成用凸部１ａ２１，１ａ２１とシール部１ｂ，１ｂの立設部１ｂ１，１ｂ１の外側面等によって框３〜５の端部に形成された嵌合凸部が嵌る被嵌合凹部を形成するための凹部形成用凸部１ｂ４，１ｂ４が設けられている。
【００１９】
また、シール部１ｂ，１ｂの立設部１ｂ１，１ｂ１の基端部の内側面、すなわち本体部１ａの各側板部１ａ２，１ａ２との連結部分の内側面には、それぞれ、複層ガラス２の外周縁が挿入して、第２シール片１ｂ３，１ｂ３の先端部が複層ガラス２の表面に押圧されて弾性変形した際、その第２シール片１ｂ３，１ｂ３の裏側から複層ガラス２の方へ押し返す第２シール片押返し用凸部１ｂ５，１ｂ５を設けている。
【００２０】
また、シール部１ｂ，１ｂの立設部１ｂ１，１ｂ１の中間の外側面には、複層ガラス２の外周縁に沿って延びる溝部１ｂ１１，１ｂ１１を形成している。
【００２１】
次に、以上のように構成された実施形態１のグレチャン１Ａの取付けについて説明する。
【００２２】
図６（ａ）〜（ｃ）は、複層ガラス２へ実施形態１のグレチャン１Ａを取り付ける際のグレチャン１Ａの状態を示す図である。
【００２３】
図６（ａ）に示すように、複層ガラス２の端部をグレチャン１Ａに挿入すると、まず、図６（ｂ）に示すようにシール部１ｂ，１ｂの第１シール片１ｂ２，１ｂ２の先端部がそれぞれ複層ガラス２の外側面に弾力的に摺接する。
【００２４】
さらに複層ガラス２の端部をグレチャン１Ａに押し込むと、図６（ｂ）に示すように複層ガラス２の端部が第２シール片１ｂ３，１ｂ３のほぼ中央部に当接して、第２シール片１ｂ３，１ｂ３を押圧して、それぞれ、本体部１ａの側板部１ａ２，１ａ２の方へ押し曲げる。
【００２５】
そのため、第２シール片１ｂ３，１ｂ３の先端部は、それぞれ、複層ガラス２の外周縁に弾力的に摺接する。
【００２６】
そして、さらに複層ガラス２の下端部をグレチャン１Ａの中へ押し込むと、最終的には図６（ｃ）に示すように、複層ガラス２の先端部がグレチャン１Ａの本体部１ａの底板部１ａ１に到達する。
【００２７】
すると、図５（ｂ）の２点鎖線で示すようにシール部１ｂの第２シール片１ｂ３，１ｂ３の先端部は、それぞれ第１シール片１ｂ２，１ｂ２の先端部よりも内側に突出していて、図６（ｃ）に示すように複層ガラス２の外側面に弾力的に摺接して曲がり、第２シール片１ｂ３，１ｂ３の裏側が第２シール片押返し用凸部１ｂ５，１ｂ５の先端部に当接するので、第２シール片押返し用凸部１ｂ５，１ｂ５は、それぞれ、第２シール片１ｂ３，１ｂ３をその裏側から複層ガラス２の方へ押し返す。
【００２８】
図７（ａ）〜（ｃ）は、それぞれ複層ガラス２に実施形態１のグレチャン１Ａを装着したものを、さらに下框３に嵌め込む際のグレチャン１Ａの動きを説明する図である。
【００２９】
図６（ｃ）に示すようにしてグレチャン１Ａを装着した複層ガラス２を、図７（ａ）に示すように例えば下框３に嵌め込む場合、図７（ｂ）に示すようにグレチャン１Ａの本体部１ａの側板部１ａ２の外側面上部に設けられた凹部形成用凸部１ａ２１が下框３の側板部３ａの上端部に設けられた嵌合凸部３ａ１の上部に当接して曲がって、嵌合凸部３ａ１が凹部形成用凸部１ａ２１を乗り越える。そして図７（ｃ）に示すように、下框３の嵌合凸部３ａ１は、本体部１ａの凹部形成用凸部１ａ２１と、シール部１ｂの立設部１ｂ１の外側面と、凹部形成用凸部１ｂ４によって形成された被嵌合凹部に嵌る。
【００３０】
従って、実施形態１のグレチャン１Ａによれば、複層ガラス２の端部を挿入して、第２シール片１ｂ３，１ｂ３の先端部が複層ガラス２の端部外周縁に押圧されて弾性変形した際、第２シール片押返し用凸部１ｂ５，１ｂ５がそれぞれ第２シール片１ｂ３，１ｂ３をその裏側から複層ガラス２の方へ押し返すため、第２シール片押返し用凸部１ｂ５，１ｂ５を設けない場合よりも框内への雨水等の水の浸入を低減することができる。
【００３１】
また、実施形態１のグレチャン１Ａによれば、シール部１ｂ，１ｂの立設部１ｂ１，１ｂ１の外側面であって框３〜６の端部に形成された嵌合凸部３ａ１等が密着する箇所には、それぞれ、複層ガラス２の外周縁に沿って延びる溝部１ｂ１１，１ｂ１１を形成している。そのため、グレチャン１のシール部１ｂ，１ｂにおける立設部１ｂ１，１ｂ１の外側面と框３〜６の嵌合凸部３ａ１等との間を毛細管現象で雨水等が侵入してきた場合でも、この溝部１ｂ１１，１ｂ１１によってその侵入を断ち切って、框内への雨水等の侵入を防止できる。
【００３２】
実施形態２．
次に、実施形態２のグレチャン１Ｂについて説明する。尚、上述の実施形態１のグレチャン１Ａと同じ構成には同一符号を付してその説明は省略する。
【００３３】
図８（ａ），（ｂ）は、それぞれ、実施形態２のグレチャン１Ｂを示す斜視図、端面図である。また、図９は、実施形態２のグレチャン１Ｂに複層ガラス２を挿入した状態を示す端面図である。
【００３４】
図８（ａ），（ｂ）および図９に示すように実施形態２のグレチャン１Ｂは、上述の実施形態１のグレチャン１Ａを改良したもので、実施形態１のグレチャン１Ａの本体部１ａの各側板部１ａ２，１ａ２の内側面における底板部１ａ１に近い箇所に、それぞれ、内側に向かって突出したガラス体支持部１ａ２２，１ａ２２を設けたことを特徴とする。
【００３５】
ここで、この実施形態２のグレチャン１Ｂでは、ガラス体支持部１ａ２２，１ａ２２は、シール部１ｂ，１ｂの第２シール片押返し用凸部１ｂ５，１ｂ５よりも内側に突出し、かつ、ガラス体支持部１ａ２２，１ａ２２の先端部は当該第２シール片押返し用凸部１ｂ５，１ｂ５の突出量と、同じ側のシール部１ｂ，１ｂの立設部１ｂ１，１ｂ１に設けた第２シール片１ｂ３，１ｂ３の厚さとを加算した長さ未満の突出量としている。ただし、ガラス体支持部１ａ２２，１ａ２２の先端部は、第２シール片押返し用凸部１ｂ５，１ｂ５の突出量と同じ側のシール部１ｂ，１ｂの立設部１ｂ１，１ｂ１に設けた第２シール片１ｂ３，１ｂ３の厚さとを加算した長さと同じでも良い。
【００３６】
そのため、この実施形態２のグレチャン１Ｂでも、複層ガラス２に装着すると、実施形態１のグレチャン１Ａと同様に、第１シール片１ｂ２，１ｂ２の先端部が複層ガラス２の外側面に弾力的に摺接すると共に、第２シール片１ｂ３，１ｂ３の先端部が複層ガラス２の外周縁に弾力的に摺接する。
【００３７】
そして、さらに複層ガラス２の端部をグレチャン１Ｂの中へ押し込むと、図９に示すように、最終的には複層ガラス２の端部がグレチャン１Ｂの本体部１ａ’の底板部１ａ１の上面に当接する。
【００３８】
すると、本体部１ａ’の各側板部１ａ２’，１ａ２’に設けたガラス体支持部１ａ２２，１ａ２２の先端部は、当該第２シール片押返し用凸部１ｂ５，１ｂ５と、同じ側の側板部１ａ２’，１ａ２’に設けた第２シール片１ｂ３，１ｂ３の厚さとを加算した長さ未満の突出量であり、しかもガラス体支持部１ａ２２，１ａ２２はシール部１ａ，１ａよりも硬質であるため、ガラス体支持部１ａ２２，１ａ２２を設けていない実施形態１のグレチャン１Ａよりも、ガラス体支持部１ａ２２，１ａ２２によって複層ガラス２の端部をより強く支持することができる。
【００３９】
その結果、この実施形態２のグレチャン１Ｂによれば、シール部１ｂ，１ｂの第２シール片押返し用凸部１ｂ５，１ｂ５によって実施形態１と同様の効果が得られると共に、本体部１ａ’のガラス体支持部１ａ２２，１ａ２２によって実施形態１のグレチャン１Ａよりも複層ガラス２の端部をより安定して支持することができるので、実施形態１のグレチャン１Ａよりも框内への雨水等の水の浸入を低減することができる。
【００４０】
実施形態３．
次に、実施形態３のグレチャン１Ｃについて説明する。尚、上述の実施形態１，２のグレチャン１Ａ、１Ｂと同じ構成には同一符号を付してその説明は省略する。
【００４１】
図１０（ａ），（ｂ）は、それぞれ、実施形態３のグレチャン１Ｃを示す斜視図、端面図である。
【００４２】
図１０（ａ），（ｂ）に示すように実施形態３のグレチャン１Ｃのガラス体支持部１ａ２２’，１ａ２２’は、上述の実施形態２のグレチャン１Ｂのガラス体支持部１ａ２２，１ａ２２とは形状を変えて、本体部１ａ”の底板部１ａ１の上面から立設したように形成する。つまり、図１０（ａ），（ｂ）に示す実施形態３のグレチャン１Ｃのガラス体支持部１ａ２２’，１ａ２２’は、図８（ａ），（ｂ）および図９に示す実施形態２のグレチャン１Ｂのガラス体支持部１ａ２２，１ａ２２よりも、図１０（ｂ）上、上下方向に長く形成している。
【００４３】
そのため、複層ガラス２を外周縁に図１０（ａ），（ｂ）に示す実施形態３のグレチャン１Ｃを装着した場合、図８（ａ），（ｂ）および図９に示す実施形態２のグレチャン１Ｂのガラス体支持部１ａ２２，１ａ２２よりも複層ガラス２の外周縁と当接する面積が増大する。
【００４４】
その結果、この実施形態３のグレチャン１Ｃによれば、本体部１ａ”のガラス体支持部１ａ２２’，１ａ２２’によって実施形態２のグレチャン１Ｂよりも複層ガラス２の外周縁をより安定した状態で支持することができるので、実施形態２のグレチャン１Ｂよりもグレチャン１Ｃ内や框内への雨水等の水の浸入を低減することができる。
【００４５】
尚、上記実施形態３の説明では、ガラス体支持部１ａ２２’，１ａ２２’の反対側となる本体部１ａ”の各側板部１ａ２”，１ａ２”の外側面は、図８（ａ），（ｂ）および図９に示す実施形態２の本体部１ａ’の各側板部１ａ２’，１ａ２’の外側面と同様に面一に構成しているが、図１１（ａ），（ｂ）に示す他の構成例のグレチャン１Ｃ’のように、各側板部１ａ２”，１ａ２”の厚さを変えずに屈曲させて内側に突出したガラス体支持部１ａ２２”，１ａ２２”を形成するようにしても勿論良い。
【００４６】
実施形態４．
次に、実施形態４のグレチャン１Ｄ，１Ｄ’，１Ｄ”について説明する。尚、上述の実施形態１〜３のグレチャン１Ａ〜１Ｃと同じ構成には同一符号を付してその説明は省略する。
【００４７】
図１２（ａ），（ｂ）は、それぞれ、実施形態４のグレチャン１Ｄの端面図、複層ガラス２が挿入された際の第２シール片押返し用凸部１ｂ５’の動きや機能等を示す図ある。
【００４８】
図１２（ａ），（ｂ）に示すように、実施形態４のグレチャン１Ｄは、実施形態１のグレチャン１Ａの本体部１ａに対し新たな形状の第２シール片押返し用凸部１ｂ５’を有するシール部１ｂ’を取り付けたもので、第２シール片押返し用凸部１ｂ５’以外は、実施形態１のグレチャン１Ａと同様である。
【００４９】
つまり、実施形態１のグレチャン１Ａの第２シール片押返し用凸部１ｂ５は、図５（ｂ）等に示すように、シール部１ｂの立設部１ｂ１に対しほぼ９０度の直角に突出していたが、実施形態４のグレチャン１Ｄの第２シール片押返し用凸部１ｂ５’は、図１２（ａ）に示すようにシール部１ｂの立設部１ｂ１に対し鋭角に突出したことを特徴とする。
【００５０】
そのため、実施形態４のグレチャン１Ｄの第２シール片押返し用凸部１ｂ５’は、図１２（ｂ）に示すようにグレチャン１Ｄに複層ガラス２の端部が挿入されて、複層ガラス２によって第２シール片１ｂ３が曲げられた際、実施形態１のグレチャン１Ａの第２シール片押返し用凸部１ｂ５よりも、第２シール片１ｂ３の基端部側に当接する。
【００５１】
その結果、実施形態４のグレチャン１Ｄの第２シール片１ｂ３では、実施形態１のグレチャン１Ａの第２シール片１ｂ３よりも、第２シール片押返し用凸部１ｂ５’との接触部分から先端部までの長さが長くなるので、複層ガラス２との接触部分も増大し、框内への雨水等の水の浸入を低減することができる。
【００５２】
尚、上記の説明では、本体部１ａは、実施形態１のグレチャン１Ａの本体部１ａと同じもので説明したが、本発明ではこれに限らず、図１３（ａ）に示すように、図８（ａ），（ｂ）および図９に示す実施形態２のグレチャン１Ｂの本体部１ａ’に対し上述のような新たな形状の第２シール片押返し用凸部１ｂ５’を有するシール部１ｂ’を取り付けても良いし、さらには、図１３（ｂ）に示すように、図１０（ａ），（ｂ）に示す実施形態３のグレチャン１Ｃの本体部１ａ”に対し上述のような新たな形状の第２シール片押返し用凸部１ｂ５’を有するシール部１ｂ’を取り付けても良い。また、図示しないが、図１１（ａ），（ｂ）に示す実施形態３の他の構成例のグレチャン１Ｃ’のように、各側板部１ａ２”，１ａ２”の厚さを変えずに屈曲させて内側に突出させたガラス体支持部１ａ２２”，１ａ２２”を有するグレチャン１Ｃ’の本体部１ａ”に対し、上述のような新たな形状の第２シール片押返し用凸部１ｂ５’を有するシール部１ｂ’を取り付けても勿論良い。
【００５３】
実施形態５．
次に、実施形態５のグレチャン１Ｅ，１Ｅ’，１Ｅ”について説明する。尚、上述の実施形態１〜４のグレチャン１Ａ〜１Ｄと同じ構成には同一符号を付してその説明は省略する。
【００５４】
図１４（ａ），（ｂ）は、それぞれ、実施形態５のグレチャン１Ｅの端面図、複層ガラス２が挿入された際の第２シール片１ｂ３’および第２シール片押返し用凸部１ｂ５”の動きや機能等を示す図ある。
【００５５】
実施形態５のグレチャン１Ｅは、実施形態１のグレチャン１Ａの本体部１ａに対し新たな形状の第２シール片１ｂ３’および第２シール片押返し用凸部１ｂ５”を有するシール部１ｂ”を設けたもので、第２シール片１ｂ３’および第２シール片押返し用凸部１ｂ５”以外は、実施形態１のグレチャン１Ａと同様である。
【００５６】
つまり、実施形態５のグレチャン１Ｅの第２シール片１ｂ３’は、図５（ｂ）等に示す実施形態１のグレチャン１Ａの直線状の第２シール片１ｂ３とは異なり、図１４（ａ）に示すように第２シール片押返し用凸部１ｂ５”の方に僅かの角度だけ予め屈曲した形状に形成されている。
【００５７】
また、実施形態５のグレチャン１Ｅの第２シール片押返し用凸部１ｂ５”は、図１４（ａ）に示すように、図５（ｂ）等に示す実施形態１のグレチャン１Ａの第２シール片押返し用凸部１ｂ５よりも、立設部１ｂ１の立設方向、すなわち図１４（ａ）上、上下方向に長く形成されている。
【００５８】
そのため、図１４（ｂ）に示すように複層ガラス２によって第２シール片１ｂ３’が曲げられた場合、実施形態１のグレチャン１Ａの場合よりも、第２シール片１ｂ３’と第２シール片押返し用凸部１ｂ５”との接触面積が増大する。
【００５９】
その結果、実施形態５のグレチャン１Ｅによれば、その第２シール片１ｂ３’は実施形態１のグレチャン１Ａの第２シール片１ｂ３よりも、複層ガラス２との接触面積が増大すると共に、第２シール片１ｂ３’と第２シール片押返し用凸部１ｂ５”との接触面積の増大によって、複層ガラス２への押圧力ないしは押返し力も大きくなるので、框内への雨水等の水の浸入をさらに低減することができる。
【００６０】
尚、上記の説明では、本体部１ａは、実施形態１のグレチャン１Ａの本体部１ａと同じもので説明したが、本発明ではこれに限らず、図１５（ａ）に示すように、図８（ａ），（ｂ）および図９に示す実施形態２のグレチャン１Ｂの本体部１ａ’に対し上述のような新たな形状の第２シール片１ｂ３’および第２シール片押返し用凸部１ｂ５”を有するシール部１ｂ”を取り付けても良いし、さらには、図１５（ｂ）に示すように、図１０（ａ），（ｂ）に示す実施形態３のグレチャン１Ｃの本体部１ａ”に対し上述のような新たな形状の第２シール片１ｂ３’および第２シール片押返し用凸部１ｂ５”を有するシール部１ｂ”を取り付けても良い。また、図示しないが、図１１（ａ），（ｂ）に示す実施形態３の他の構成例のグレチャン１Ｃ’のように、各側板部１ａ２”，１ａ２”の厚さを変えずに屈曲させて内側に突出させたガラス体支持部１ａ２２”，１ａ２２”を有するグレチャン１Ｃ’の本体部１ａ”に対し、上述のような新たな形状の第２シール片押返し用凸部１ｂ５”を有するシール部１ｂ”を取り付けても勿論良い。
【００６１】
尚、上記実施形態１〜５の説明では、ガラス体として２枚のガラス２ａ，２ｂを有する複層ガラス２を一例に説明したが、本発明では、これに限らず、１枚のガラスからなる単板ガラスでも良いし、さらには、３枚以上のガラスを有する複層ガラスにも適用可能である。
【００６２】
また、上記実施形態１〜５のグレチャン１Ａ〜１Ｅの説明では、本体部１ａ〜１ａ”は、シール部１ｂ〜１ｂ”よりも硬質の部材により形成して説明したが、本発明では、これに限らず、本体部１ａ〜１ａ”をシール部１ｂ〜１ｂ”と同様の塩化ビニル樹脂等の軟質部材から形成しても良い。また、この場合には、本体部１ａ〜１ａ”とシール部１ｂ〜１ｂ”の別部材にせずに、本体部とシール部とを一体成形しても良い。
【００６３】
また、図示はしないが、第２シール片１ｂ３〜１ｂ３’を、立設部１ｂ１の先端部からではなく、第１シール片１ｂ２から本体部側に離れた位置に設けても良い。
【００６４】
さらには、上記実施形態１〜５の第２シール片押返し用凸部１ｂ５〜１ｂ５”の説明では、第２シール片押返し用凸部１ｂ５〜１ｂ５”を立設部１ｂ１に設けて説明したが、これに限らず、側板部１ａ２〜１ａ２”に設けても良い。
【符号の説明】
【００６５】
１Ａ〜１Ｅ  グレチャン
１ａ〜１ａ”  本体部
１ａ１  底板部
１ａ２〜１ａ２”  側板部
１ａ２１  凹部形成用凸部
１ａ２２〜１ａ２２”  ガラス体支持部
１ｂ〜１ｂ”  シール部
１ｂ１  立設部
１ｂ１１  溝部
１ｂ２  第１シール片
１ｂ３〜１ｂ３’  第２シール片
１ｂ４  凹部形成用凸部
１ｂ５〜１ｂ５”  第２シール片押返し用凸部
２  複層ガラス（ガラス体）
２ａ，２ｂ  ガラス
２ｃ  スペーサー
３  下框
３ａ  側板部
３ａ１  嵌合凸部
４  上框
５，６  縦框
７  戸車
８  セッティングブロック
９  振れ止め
【図１】
0006534826.tif 000002
【図２】
0006534826.tif 000003
【図３】
0006534826.tif 000004
【図４】
0006534826.tif 000005
【図５】
0006534826.tif 000006
【図６】
0006534826.tif 000007
【図７】
0006534826.tif 000008
【図８】
0006534826.tif 000009
【図９】
0006534826.tif 000010
【図１０】
0006534826.tif 000011
【図１１】
0006534826.tif 000012
【図１２】
0006534826.tif 000013
【図１３】
0006534826.tif 000014
【図１４】
0006534826.tif 000015
【図１５】
0006534826.tif 000016